(57)【要約】【課題】本発明は、液晶表示装置を大型化・高解像度化した場合であっても、低消費電力を実現することができる液晶表示装置及びこれを用いた大型液晶表示装置を提供する。【解決手段】本発明は、第１基板（透明基板１０３）と、第１基板（透明基板１０３）と対向する第２基板（透明基板１０３）と、第１基板（透明基板１０３）と第２基板（透明基板１０３）とに挟持された液晶１０１と、第１基板（透明基板１０３）上の画素毎に設けられ、液晶１０１を駆動する駆動回路３０１と、画素毎又は複数の画素毎に設けられ、液晶を駆動するために発電した電力を供給する光発電素子２０１とを備える。【選択図】図１
2006284977.tif 000002
【特許請求の範囲】
【請求項１】
第１基板と、
前記第１基板と対向する第２基板と、
前記第１基板と前記第２基板とに挟持された液晶と、
前記第１基板上の画素毎に設けられ、前記液晶を駆動する駆動回路と、
前記画素毎又は複数の前記画素毎に設けられ、前記液晶を駆動するために発電した電圧を供給する光発電素子とを備える液晶表示装置。
【請求項２】
請求項１に記載の液晶表示装置であって、
前記光発電素子は、前記画素の開口部周辺に設けられることを特徴とする液晶表示装置。
【請求項３】
請求項１に記載の液晶表示装置であって、
前記光発電素子は、所定の色を有し、光が透過可能な薄膜で形成され、前記画素の開口部に設けられることを特徴とする液晶表示装置。
【請求項４】
請求項１乃至請求項３のいずれか１つに記載の液晶表示装置であって、
前記駆動回路を制御する電磁波を供給する制御用電磁波源をさらに備え、
前記駆動回路は、前記電磁波を復調する復調部を備えることを特徴とする液晶表示装置。
【請求項５】
請求項４に記載の液晶表示装置であって、
前記電磁波は、紫外から赤外の波長を有することを特徴とする液晶表示装置。
【請求項６】
請求項５に記載の液晶表示装置であって、
前記制御用電磁波源は、バックライトに組み込まれ、
前記バックライトの導光体において、前記電磁波と、前記バックライトの主光源からの光とが混じり合うことを特徴とする液晶表示装置。
【請求項７】
請求項５に記載の液晶表示装置であって、
前記制御用電磁波源は、フロントライトに組み込まれ、
前記フロントライトの導光体において、前記電磁波と、前記フロントライトの主光源からの光とが混じり合うことを特徴とする液晶表示装置。
【請求項８】
請求項５乃至請求項７のいずれか１つに記載の液晶表示装置であって、
前記電磁波は、可視光範囲以外の不可視光範囲の波長であることを特徴とする液晶表示装置。
【請求項９】
請求項５乃至請求項７のいずれか１つに記載の液晶表示装置であって、
前記制御用電磁波源は、主光源としても機能することを特徴とする液晶表示装置。
【請求項１０】
請求項９に記載の液晶表示装置であって、
前記制御用電磁波源は、点灯・非点灯期間の比率が一定であることを特徴とする液晶表示装置。
【請求項１１】
請求項９に記載の液晶表示装置であって、
前記制御用電磁波源は、点灯・非点灯期間の比率に点灯期間の光強度を乗じた値が一定であることを特徴とする液晶表示装置。
【請求項１２】
請求項４乃至請求項１１のいずれか１つに記載の液晶表示装置であって、
前記駆動回路は、前記電磁波のうち特定の波長範囲を選択的に通過させるフィルタをさらに備え、前記フィルタを通過した前記電磁波に基づいて制御されることを特徴とする液晶表示装置。
【請求項１３】
請求項１２に記載の液晶表示装置であって、
前記フィルタは、カラー表示化のためのカラーフィルタの一部を用いることを特徴とする液晶表示装置。
【請求項１４】
請求項１２又は請求項１３に記載の液晶表示装置であって、
前記電磁波は、前記制御回路の駆動タイミングであるクロック信号と、前記画素に書き込むデータ信号とを少なくとも含み、
前記駆動回路は、複数の前記フィルタを用いて前記電磁波から少なくとも前記クロック信号及び前記データ信号をそれぞれ分離することを特徴とする液晶表示装置。
【請求項１５】
請求項１２又は請求項１３に記載の液晶表示装置であって、
前記電磁波は、前記制御回路の駆動タイミングであるクロック信号を少なくとも含み、
前記駆動回路は、前記クロック信号のハイ期間又はロー期間の長さに基づいて前記液晶に印加する電圧を制御することを特徴とする液晶表示装置。
【請求項１６】
請求項１４又は請求項１５に記載の液晶表示装置であって、
前記駆動回路は、所定の画素を除き、前記画素の書き込みタイミングであるスタートパルス信号を前記画素間に設けられた配線で伝送することを特徴とする液晶表示装置。
【請求項１７】
請求項１４に記載の液晶表示装置であって、
前記データ信号は、複数の信号を重畳させることを特徴とする液晶表示装置。
【請求項１８】
請求項１乃至請求項１７のいずれか１つに記載の液晶表示装置であって、
前記駆動回路は、前記液晶に印加する電圧の極性を所定の周期で反転させることを特徴とする液晶表示装置。
【請求項１９】
請求項１乃至請求項１８のいずれか１つに記載の液晶表示装置を複数タイリングして形成することを特徴とする大型液晶表示装置。
【発明の詳細な説明】
【技術分野】
【０００１】
本発明は、液晶表示装置及びこれを用いた大型液晶表示装置に係る発明であって、特に、大型化、高解像度化、低消費電力化が可能な液晶表示装置及びこれを用いた大型液晶表示装置に関するものである。
【背景技術】
【０００２】
液晶表示装置は、液晶を光学シャッターとして用いることで光を制御し、所望の画像を表示するデバイスである。つまり、液晶表示装置は、プラズマディスプレイや有機ＥＬ（electro-luminescence）のように自発光型ではなく、非自発光型の表示装置である。そのため、液晶表示装置では、何らかの光源が必要となる。一般にＰＣなどに利用されている透過型液晶表示装置の場合は、バックライトと呼ばれる光源を背面に設けている。また、携帯端末等に用いられる反射型液晶表示装置等の場合は、フロントライトと呼ばれる光源を前面に設けるか、外光を光源としている。
【０００３】
また、液晶表示装置は、一般的に低消費電力であるが、光源を除いた液晶パネル部分の消費電力は特に低い。そのため、光源が不要な反射型液晶表示装置は、電池駆動の機器に広く採用されている。
【０００４】
さらに、液晶表示装置は、ゼグメント方式からマトリクス方式へ、パッシブ駆動からアクティブ駆動へと進化することにより、高解像度化、大型化が進んでいる。しかし、液晶表示装置の高解像度化、大型化は、液晶表示装置の低消費電力の特性と相反するものである。液晶表示装置が大型化すると、ソース配線やゲート配線の配線距離が長くなり、当該配線の配線容量が増大し、消費電力が増加する問題があった。
【０００５】
また、液晶表示装置が高解像度化すると、１フレーム周期内でのソース配線やゲート配線の電圧変化が多くなり、消費電力が増加する問題があった。さらに、液晶表示装置が大型化・高解像度化すると、各配線に供給される信号の遅延が大きくなり、ソース配線やゲート配線の片側から駆動する方式では所定の期間内に所定の電圧を液晶に印加することが間に合わない問題があった。
【０００６】
そこで、特許文献１又は特許文献２においては、低消費電力を達成するために、太陽電池を設けた液晶表示装置を提案している。
【０００７】
【特許文献１】特開２００１−１８４０３３号公報
【特許文献２】特開２００４−１９１６４５号公報
【発明の開示】
【発明が解決しようとする課題】
【０００８】
しかし、特許文献１又は特許文献２のように単純に太陽電池を設けただけでは、大型化・高解像度化することによる消費電力の増加及び信号の遅延を解決することができない。また、液晶表示装置において、さらに大型化・高解像度化が進めば、太陽電池をさらに大きくするなどの手段をとる必要があった。
【０００９】
そこで、本発明は、液晶表示装置を大型化・高解像度化した場合であっても、低消費電力を実現することができる液晶表示装置及びこれを用いた大型液晶表示装置を提供することを目的とする。
【課題を解決するための手段】
【００１０】
本発明に係る解決手段は、第１基板と、第１基板と対向する第２基板と、第１基板と第２基板とに挟持された液晶と、第１基板上の画素毎に設けられ、液晶を駆動する駆動回路と、画素毎又は複数の画素毎に設けられ、液晶を駆動するために発電した電力を供給する光発電素子とを備える。
【発明の効果】
【００１１】
本発明に記載の液晶表示装置は、画素毎に設けられ、発電した電力を画素及び駆動回路に供給する光発電素子とを備えるので、液晶表示装置を大型化・高解像度化した場合であっても、低消費電力を実現することができる。
【発明を実施するための最良の形態】
【００１２】
（実施の形態１）
本実施の形態に係る液晶表示装置では、バックライトを光源とし、表示面に対して垂直な方向に電圧を印加する透過型液晶表示装置について説明する。しかし、本発明に係る液晶表示装置はこれに限られず、表示面に対して水平方向に電圧が印加される液晶表示装置（例えば、ＩＰＳ（In-plane Switching）方式）や反射型液晶表示装置であっても良い。
【００１３】
図１に、本実施の形態に係る液晶表示装置の断面図を示す。図１に示す液晶表示装置では、各画素において、液晶１０１が対向する透明電極１０２（例えば、ＩＴＯ（Indium Tin Oxide））に挟持されている。透明電極１０２は、ガラスなどの一対の透明基板１０３上に形成されている。そして、一対の透明基板１０３は、シール材１０４で貼り合わされている。また、一方の透明基板１０３には、画素毎に液晶１０１を駆動するための駆動回路３０１が設けられている。他方の透明基板１０３には、カラー表示のためのカラーフィルタ（図示せず）が形成される場合がある。
【００１４】
本実施の形態に係る液晶表示装置では、駆動回路３０１が形成された透明基板１０３上の画素周囲に、さらに直列接続された光発電素子２０１が設けられている。光発電素子２０１は、駆動回路３０１及び透明電極１０２と接続している。なお、光発電素子２０１は、バックライト光が通過する画素の開口部周辺に設けられており、通常の液晶表示装置に用いられているブラックマトリクス（以下、ＢＭともいう）の位置に設けられている。
【００１５】
本実施の形態に係るバックライトには、通常使用される主光源１５２（例えば、ＣＣＦＬ（Cold Cathode Fluorescent Lamp））と、それとは別に特定の波長をもったＬＥＤ４０１（Light Emitting Diode）とを備えている。ＬＥＤ４０１は制御用光源（制御用電磁波源）であり、駆動回路３０１の制御信号である光（電磁波）を供給する。なお、主光源１５２からの光と、ＬＥＤ４０１からの光（電磁波）とは導光体１５１で混ざり合い、液晶パネルに供給される。これにより、ＬＥＤ４０１からの光を液晶パネル全面に供給する手段を別途設ける必要がなくなる。
【００１６】
また、本実施の形態に係る光発電素子２０１は、物性的に光起電力をもつ素子であり、ＰＩＮ接合の半導体が良い特性を示す。なお、ＰＩＮ接合とは、少数キャリアの再結合を減少させるためにｐ形層とｎ形層の間に非ドープ層(ｉ形層)を設けた構造の接合であり、アモルファスシリコン太陽電池において、広く用いられている。また、光発電素子２０１は、透明基板１０３上で形成しても良いし、別途製造したものを実装することもできる。
【００１７】
本実施の形態に係る駆動回路３０１は、既存のＴＦＴ（Thin Film Transistor）液晶パネルと同様、アモルファスシリコンやポリシリコンＴＦＴの製造工程で作りこむことができる。
【００１８】
次に、本実施の形態に係る液晶表示装置の動作を説明する。まず、光発電素子２０１は、バックライトからの光（主光源からの光）を受け発電する。発電された電圧は、駆動回路３０１へ供給され、所望の電圧になるよう調整した後、液晶１０１に印加される。一般に、光発電素子２０１は、１セルあたりの発電電圧は小さく、数Ｖ規模の電圧を必要とする場合は、数セルを直列接続して使用する。但し、発電電圧が大きい光発電素子２０１であれば、図示しないが、画素毎に１セル設ける構成であっても良い。図２に、光発電素子２０１で発電された電圧を液晶１０１に印加する場合の模式図を示す。図２では、３つのセルが直列接続した光発電素子２０１から、マルチプレクサ３０２が所望の電圧を取り出し液晶１０１に印加する。
【００１９】
通常の光発電素子２０１において、一定の光強度下での出力電圧は出力電流の増加と共に減少する。しかし、液晶１０１に出力電圧を印加する場合、液晶１０１は等価的にコンデンサとみなすことができるので、充電が終了すると電流は流れなくなる。そのため、最終的に到達する液晶１０１の印加電圧が、光発電素子２０１の飽和電圧となる。また、この飽和電圧は光強度依存性が小さく、それが無視できる範囲であれば、電圧レギュレータを置くことなくバックライトを調光（減光）することもできる。なお、光発電素子２０１は、画素毎、個別に設けても良いし、同じものを周囲の複数の画素で共有しても良い。
【００２０】
次に、液晶表示装置に画像を表示させるためには、各画素の駆動回路３０１に所定の制御信号を送る必要がある。従来の液晶表示装置のように、液晶パネル内にソース配線やゲート配線を引くことでも実現することができる。しかし、背景技術でも説明したように、大型化・高解像化した場合には、配線容量の増大等の理由により、消費電力が増加する問題があった。そこで、本実施の形態に係る液晶表示装置では、消費電力の低減が可能な別の方法で各画素の駆動回路３０１に所定の制御信号を伝送する。
【００２１】
つまり、本実施の形態に係る液晶表示装置では、液晶パネル内にソース配線やゲート配線を引かずに、各画素の駆動回路３０１に対して制御用の光（以下、単に電磁波ともいう）を用いて制御信号を伝送している。そのため、本実施の形態に係る液晶表示装置では、各画素の駆動回路３０１に伝送された電磁波を復調する復調部が必要となる。この復調部は、特定周波数の電磁波を選択する手段（例えば、光学フィルタ）や選択した電磁波から必要な信号を取り出す手段（例えば、光センサ）が必要となる。なお、光のように波長が短くなると、物性的な周波数選択手段を取ることが可能となる。
【００２２】
但し、液晶表示装置の場合、画素が非常に多くなるため、全ての画素にキャリア周波教を割り当てて駆動回路３０１を制御するのは非効率的である。そこで、本実施の形態に係る液晶表示装置では、画素に電圧を印加するタイミングであるスタートパルス信号のみ隣接する画素間に設けられた配線を伝送させ、駆動回路３０１の制御タイミングであるクロック信号及び画素に印加するデータ信号には電磁波を利用している。なお、クロック信号とデータ信号とは、異なる周波数（波長）の電磁波を利用する。
【００２３】
具体的に、本実施の形態では、バックライトに設けられた特定の波長をもつＬＥＤ４０１を使用して、クロック信号やデータ信号を駆動回路３０１に伝送する。駆動回路３０１には、図３に示すようにクロック信号を受光する光センサ３１１及びデータ信号を受光する光センサ３１２を有し、それぞれの光センサ３１１，３１２には異なった波長の電磁波を選択できるフィルタ３１３が備えられている。なお、図３では、光センサ３１２が２つ設けられている。
【００２４】
バックライト光から、導光体１５１で主光源１５２と混色された制御用の光（電磁波）を、フィルタ３１３で分離している。このフィルタ３１３は、一般的なカラーフィルタやプリズム、スリット等の干渉フィルタなどを使用することができる。なお、図４に、３つの異なる波長に対して、３つの異なるフィルタの透過率特性が示されている。図４に示されているそれぞれのフィルタを用いることで、制御用の光（電磁波）をそれぞれの波長に分離することができる。
【００２５】
制御用光源は、ＬＥＤ４０１と説明したが、波長範囲としては紫外から赤外の３００ｎｍから１μｍ程度が考えられる。しかし、どのようなパターンの制御信号であっても表示に影響が出ないようにするには、紫外や赤外のような可視光範囲以外の波長を使用するほうが望ましい。これは、制御用光源に可視光の光源を選ぶ場合、制御信号のパターンによって点灯期間と非点灯期間の比率が変わり、表示に影響が出ることが考えられるためである。但し、光センサ３１１，３１２の感度が視感度に比べ十分に高い場合、つまり表示面を見ても制御用の光（電磁波）の点灯・非点灯がほとんど視認できない場合、点灯期間と非点灯期間の比率が変化する場合であっても表示に影響が出ることはない。なお、光センサ３１１，３１２の感度が視感度に比べ十分に高い場合、主光源１５２のスペクトルの弱い波長領域を使用したほうが、Ｓ／Ｎ比が高くとれるため好ましい。
【００２６】
次に、本実施の形態に係る液晶表示装置の一つの画素で処理される信号の波形図を図５に示す。ここで、簡略化のために光センサ３１１，３１２は、選択された光を受光しているときハイレベルを出力し、光を受光していないときローレベルを出力するものとする。まず、クロック信号用のＬＥＤ４０１の点滅を、フィルタ３１３を介して光センサ３１１が受光し、これにより光センサ３１１が全画素同時のクロック信号を生成する。図３では示されていないが、最初に書き込みが行われる画素には、スタートパルス信号用のＬＥＤ４０１からの光を光センサで受け、スタートパルス信号を生成する。生成されたスタートパルス信号は、隣接する画素間に設けられた配線を介して、順次隣の画素に伝送される。
【００２７】
画素に、図５に示すようなスタートパルス入力が入力され、図３に示すＡＮＤゲート３１４でハイレベルにラッチされると、光センサ３１２で受光したＬＥＤ４０１（データ信号用）の光がレジスタ３１５に転送される。図５では、スタートパルス入力がハイレベルで、クロック信号が立ち上がった際（図中、破線で示すタイミング）に、光センサ３１２で受光したデータ０入力及びデータ１入力に基づいてデータ０及びデータ１が変化することになる。
【００２８】
図３に示す例では、２種類の光センサ３１２を設けていることから、データ信号用のＬＥＤ４０１は２種類あり、２Ｂｉｔ（４階調）の印加電圧を選択することができる。レジスタ３１５からＤ／Ａ変換に必要なデジタルＢｉｔ情報がマルチプレクサ３０２に伝送され、マルチプレクサ３０２は、当該デジタルＢｉｔ情報に基づいて所定の印加電圧を選択して液晶１０１に印加している。
【００２９】
駆動回路３０１は、データ信号の転送が終わると、図３のレジスタ３１６で次の画素のためのスタートパルス信号を生成する。そして、駆動回路３０１は、図５に示すようなスタートパルス出力をカスケード接続された次の画素に出力する。なお、以降の画素についても図５に示した波形と同じ動作を繰り返すことになる。このように本実施の形態に係る液晶表示装置では、一つの画素に着目すると、次のスタートパルス信号が来るまでの間（１リフレッシュレート期間）は同じデータを保持することになる。
【００３０】
従って、通常用いられている液晶表示装置では、少なくとも１水平期間内に所定の印加電圧を画素に書き込む必要があったが、本実施の形態では、書き込み時間が１水平期間に制限されることなく、次のスタートパルス信号が来るまで期間確保することができるため、長く充電期間が取れることができる。よって、光発電素子２０１の発電能力が弱くても長い時間（数ｍｓ）かけて充電することができ、光発電素子２０１のサイズを小型化することも可能となる。さらに、本実施の形態に係る液晶表示装置では、各画素に設けられた駆動回路３０１の電源も、光発電素子２０１により供給されている。
【００３１】
上述したように、スタートパルス信号は、電気的な配線により隣接画素間を伝送されている。通常、マトリクス型表示装置における画素の制御は、左から右へとスキャンした後、次の行の左へ帰還するように動作する。しかし、本実施の形態に係る液晶表示装置において、スタートパルス信号を右から左へ帰還させるには、長い配線が必要となる。そこで、本実施の形態に係る液晶表示装置では、図６に示す一筆書きのようにスタートパルス信号を伝送することで、効果的に配線することができる。なお、図６では、画素７０１間のスタートパルス信号の伝送方向を矢印７０２で示している。
【００３２】
つまり、本実施の形態では、スタートパルス信号を左から右へとスキャンした後、右から左へとスキャンする。但し、データ信号用のＬＥＤ４０１などから伝送されるデータ信号の並びは、一筆書きのスキャンに合わせて並べ替えを行っている。具体的な、画素構造を図７に示す。図７では、画素７０１と光発電素子２０１とが駆動回路３０１で接続され、隣接する画素７０１の駆動回路３０１同士がスタートパルス配線７０３で接続されている。なお、図７では、駆動回路３０１内の光センサ３１１，３１２も図示されている。
【００３３】
次に、上述したように、スタートパルス信号の起点となる最初に書き込みが行われる画素のみ、電気的配線若しくは専用の復調部が必要となる。上述したように、専用の復調部を設ける場合、専用波長をもった光源を使用し、当該専用波長を選択し受光するフィルタと光センサを駆動回路３０１に別途設ける必要がある。一方、電気的配線を設ける場合、当該電気的配線を用いて外部の回路と接続し、当該回路で生成したスタートパルス信号を画素に供給する構成が必要となる。
【００３４】
なお、起点となるスタートパルス信号を生成する方法として、一旦主光源１５２を消灯させて別途用意したセンサで検出することや、一旦主光源１５２を消灯させて光発電素子２０１の発電電圧の低下を検出することで、起点となるスタートパルス信号を生成することも考えられる。また、通常の制御信号ではありえない組み合わせの信号を作り、この信号を利用して起点となるスタートパルス信号を生成する方法も考えられる。
【００３５】
但し、起点となるスタートパルス信号を生成する方法として、電気的配線を設けること以外の方法を選択する方がメリットは大きい。これは、スタートパルス信号の生成にも電気的配線を使用しなければ、液晶パネルに接続される外部配線が完全になくなるためである。液晶パネルに接続される外部配線がなくなれば、液晶パネルの外周部分に外部配線と接続する接続端子（数ｍｍ程度）を設ける必要がない。本実施の形態では、シール材１０４の部分まで液晶パネルの外形の小さくすることができ、非常に狭額縁の液晶パネルとなる。
【００３６】
また、主光源１５２及び制御用光源（ＬＥＤ４０１）を有するバックライトも液晶パネルと同様に狭額縁化することで、液晶表示装置を緻密にタイリングして大型液晶表示装置を構成することが可能となる。図８に、液晶表示装置を緻密にタイリングした場合の概念図を示す。液晶パネルを狭額縁化することにより、タイリングした継ぎ目の部分における表示への影響が小さくなる。図８のように液晶表示装置８０１をタイリングした際、バックライトの光学系も個々に独立させていれば、個々の制御用光源は隣接する液晶パネルを制御する必要がない。そのため、制御用光源の周波数を著しく低減することができる。
【００３７】
具体的に、１００画素×１００画素の液晶表示装置８０１をタイリングして１０００画素×１０００画素の大型液晶表示装置とした場合を考える。まず、１０００画素×１０００画素の全てを１つの制御用光源で制御するには、リフレッシュレートが６０Ｈｚであれば６０Ｈｚ×１０００×１０００＝６０ＭＨｚの周波数で制御する必要がある。しかし、１００画素×１００画素の液晶表示装置８０１毎に独立した制御用光源を有している場合は、リフレッシュレートが６０Ｈｚであれば６０Ｈｚ×１００×１００＝６００ｋＨｚの周波数で個々の制御用光源を制御すれば良い。
【００３８】
加えて、タイリングすることなく極めて大きな大型液晶表示装置を製作する場合、製造上のマザーガラスの大きさで制約されることになる。例え、マザーガラスの制約を抜きにしても、上述したように配線が長くなり配線容量が肥大化し消費電力が増大する問題が残ることになる。
【００３９】
以上のように、本実施の形態に係る液晶表示装置では、光発電素子２０１を用いて駆動に必要な電圧を液晶パネル内部で生成し、個々の駆動回路３０１の制御にも電磁波を用いているので、基本的に内部に長い配線が不要となり、大型化・高解像度化しても消費電力を極めて低くすることができる。また、本実施の形態に係る液晶表示装置では、液晶パネルを狭額縁化することができるので、タイリングすることで大型液晶表示装置を容易に構成することができるため、マザーガラスサイズの制約を受けずに高解像度の大型液晶表示装置を作成することができる。
【００４０】
さらに、本実施の形態に係る液晶表示装置では、液晶１０１の駆動に必要な電力を従来ＢＭにより吸収させていた光を有効活用するため、事実上液晶パネルへの投入電力をゼロにすることが可能となる。また、本実施の形態に係る液晶表示装置では、液晶パネルに接続される配線がないので、ワイヤレス液晶パネルとして様々な用途に応用が期待できる。
【００４１】
なお、本実施の形態では、バックライトに制御用光源を加えた方式を説明したが、本発明はこれに限られずフロントライトに制御用光源を加えた方式であっても良い。また、反射型の液晶表示装置の場合、制御用光源のみをフロントライト又はバックライトに組み込み、主光源は外光でまかなう方式でも良い。さらに、本発明は、主光源のみをバックライトに、制御用光源をフロントライトに組み込むこともできる。なお、主光源がフロントライトに取り付けられている場合や反射型の場合は、光発電素子２０１は表示面側の基板に設けられる。
【００４２】
（実施の形態２）
液晶表示装置において、カラー表示させる場合、一般的にカラーフィルタを用いて三原色を分離し、個々に透過率を制御して様々な色を表示している。本発明も同様の方式により、カラー表示が可能であり、各画素にカラーフィルタを設けることで実現している。
【００４３】
一方、光発電素子２０１の特性に着目すると、近年、薄膜化された光発電素子２０１が開発されており、当該光発電素子２０１は光透過性を有している。加えて、当該光発電素子２０１は有色性を示すものも開発されている。
【００４４】
本実施の形態に係る液晶表示装置では、この有色性を示す薄膜化された光発電素子２０１をカラーフィルタとして使用する。これにより、個別のカラーフィルタが不要になる。また、光発電素子２０１の配置場所をＢＭ領域に限定する必要がないため、画素の開口部上にも配置することができ、広い面積に光発電素子２０１を配置することができる。
【００４５】
なお、本実施の形態に係る液晶表示装置では、サブピクセルの配色は一般的なＲＧＢ三原色に制限されない。また、本実施の形態に係る液晶表示装置では、液晶１０１を駆動する制御信号の伝送を、三原色同時に行っても良いし、例えばＲ→Ｇ→Ｂ→Ｒ→Ｇ→…とシーケンシャルに行っても良い。
【００４６】
（実施の形態３）
実施の形態１で説明した液晶表示装置では、各画素が４階調で表現されると説明した。しかし、一般的な液晶表示装置では、より多くの階調表現が可能である。そこで、本実施の形態では、液晶表示装置の多階調化について説明する。ここで、液晶表示装置の多階調化には、制御する信号の多数化と、液晶１０１に印加する電圧の微妙な調整が必要となる。
【００４７】
まず、液晶表示装置の多階調化により、制御する信号を多数化するとは、データ信号のデータビットを増やすことである。実施の形態１において、データビットが増えると、その分だけ余計に制御用光源（種類）が必要となる。また、制御用光源の増加に伴い、光センサやフィルタの種類を駆動回路３０１内に増やす必要がある。但し、制御用光源の種類が増えることは、より狭い波長範囲で動作するバンドパスフィルタを必要とする問題がある。
【００４８】
そこで、本実施の形態に係る液晶表示装置では、単一の制御用光源に、複数の信号を重畳させる方式を用いる。具体的には、１画素の駆動回路３０１に、図３に示すような２つの光センサ３１２を設け、当該２つの光センサ３１２が２回のクロック信号でデータを捕捉している。図９に、本実施の形態に係る液晶表示装置に駆動波形を示す。図９は、クロック信号、スタートパルス入力、データ０入力及びデータ１入力は基本的に図５と同じである。なお、データ０入力及びデータ１入力は、２つの光センサ３１２のそれぞれに入力されるデータである。
【００４９】
図９において、図５と異なる点は、スタートパルス入力の立ち上がりから２回分のクロック信号後にスタートパルス出力が出力されている点である。つまり、データ信号を伝送する期間（スタートパルス入力からスタートパルス出力まで）に含まれるクロック信号数が２倍になっている。これにより、本実施の形態では、１回目のクロック信号の立ち上がり（破線Ｉ）で、従来と同様データ０とデータ１とを捕捉し、２回目のクロック信号の立ち上がり（破線ＩＩ）で、新たにデータ２とデータ３を捕捉することができる。よって、本実施の形態では、実施の形態１の２倍のデータビット（４ｂｉｔ）を得ることができる。
【００５０】
以上のように、データ信号を伝送する期間に含まれるクロック信号数を２倍にすることで、制御用光源（データ信号用）の種類の２倍の階調データを得ることができる。同様に、階調情報が必要な場合、データ信号を伝送する期間に含まれるクロック信号数を必要なだけ増やすことで可能となる。すなわち、本実施の形態に係る液晶表示装置では、データ信号用光源の種類をｍとし、データ信号を伝送する期間に含まれるクロック信号数ｎとする場合、ｍ×ｎビットの階調データを伝送することができる。すなわち、本実施の形態では、データ信号の送信をパラレル−シリアル伝送化している。
【００５１】
次に、液晶１０１に印加する電圧の微妙な調整手法について説明する。まず、図１０に、光発電素子２０１の発電電圧を分圧する分圧回路２１０と、それを選択するマルチプレクサ３０２とを有する駆動回路３０１の一部を示す。図１０に示す分圧回路２１０では、単純な抵抗分圧の例で示されているが、本発明に係る分圧回路２１０は抵抗に限られず、他の各種手段を使用しても良い。また、図１０では、マルチプレクサ３０２の後段に電圧フォロア等のためのバッファ３０４が設けられている。しかし、液晶１０１への書き込み（充電）を所望期間内に終了できるのであれば、バッファ３０４を特に設ける必要はない。
【００５２】
次に、別の調整手法を図１１に示す。図１１では、直列接続された光発電素子２０１毎に抵抗を設けている。なお、当該抵抗は、光発電素子２０１以外の部分に形成しても良いし、光発電素子２０１の内部抵抗であっても良い。また、図１１では、光発電素子２０１の記号の大きさを変えて、それぞれ飽和発電電圧が異なっていることを示している。例えば、図１１の光発電素子２０１は、上から８Ｖ、４Ｖ、２Ｖ、１Ｖの飽和発電電圧をそれぞれ有している。
【００５３】
各光発電素子２０１には、並列にスイッチ３０３が設けられている。当該スイッチ３０３は、光発電素子２０１に設けられた抵抗に比べ十分低い抵抗値でＯＮすることができる。なお、図１１のスイッチ３０３は、上からビット３、ビット２、ビット１、ビット０と表す。全てのビットのスイッチ３０３が開いている時は、液晶１０１に１５Ｖが印加されることになる。そして、例えば、ビット３のスイッチ３０３を閉じると、液晶１０１に７Ｖが印加されることになる。
【００５４】
つまり、いずれかスイッチ３０３（複数でも良い）が閉じて短絡すると、１５Ｖから該当する光発電素子２０１の飽和電圧分だけ低い電圧が液晶１０１に印加されることになる。図１１に示す回路構成とすることにより、最小の飽和発電電圧分だけの電圧分解能を有することができる。なお、飽和発電電圧を低くするには、光発電素子２０１自体の特性を調整しても良いし、図示していないが、各光発電素子２０１と抵抗とに並列するように別の抵抗を挿入することにより、スイッチ３０３が開いている状態でも光発電素子２０１の飽和発電電圧以下の電圧を取り出すこともできる。
【００５５】
次に、別の調整手法を図１２に示す。図１２では、Ｄ／Ａ変換を行っていたのをサンプル／ホールド型の回路構成にしたものである。この回路構成に対応する制御用光源の受光系の回路図を図１３に示す。さらに、図１３における駆動波形を図１４に示す。図１２乃至図１４に示すように駆動回路３０１を構成することでも、任意の印加電圧を液晶１０１に印加することができる。
【００５６】
まず、図１４に示す波形において、図５と異なる点は、データ信号が存在しないことと、クロック信号のハイレベル期間とローレベル期間が一定ではないことである。図１２乃至図１４に示す構成においても、スタートパルス信号は、隣接する画素間に設けられた電気的配線により伝送されるものとする。そして、図１４に示すように、画素ｎ−１から伝送されたスタートパルス信号が、画素ｎにスタートパルス入力として入力される。画素ｎスタートパルス入力の立ち上がりとクロック信号の立ち下りに同期（破線α）して、画素ｎ放電信号が生成（立ち上がる）される。図１３を用いて説明すると、画素ｎスタートパルス信号のハイレベルとインバータ３２０で反転されたクロック信号のハイレベルとがＡＮＤゲート回路３２１に入力され、画素ｎ放電信号が生成される。
【００５７】
画素ｎ放電信号が生成されると、図１２に示す放電スイッチ３０６がＯＮ状態となり、放電スイッチ３０６に並列に接続されたコンデンサ３０７が短絡され電荷が引き抜かれる。次に、クロック信号が立ち上がると（破線β）、放電信号が消失し、充電信号が生成される。図１３を用いて説明すると、画素ｎスタートパルス信号のハイレベルとクロック信号のハイレベルとがＡＮＤゲート３２２に入力され、画素ｎ充電信号が生成される。
【００５８】
放電信号が消失することで、図１２に示す放電スイッチ３０６がＯＦＦ状態となり、画素ｎ充電信号が生成されることで、充電スイッチ３０５がＯＮ状態となる。そして、所定の時間経過しクロック信号が立ち下ると（破線γ）、充電スイッチ３０５がＯＦＦ状態となる。この充電スイッチ３０５がＯＮ状態となっている期間（充電期間）に、所定の電荷がコンデンサ３０７に充電される。図１４では、画素ｎの充電信号の変化に伴う、画素ｎの充電電圧の変化が示されている。なお、所定の電荷は、コンデンサ３０７、光発電素子２０１の発電電圧、光発電素子２０１と充電スイッチ３０５との間に設けられた抵抗及び充電期間で決定される。
【００５９】
コンデンサ３０７に充電された電圧は、次のスタートパルス信号（例えば、１リフレッシュレート期間）が来るまで、バッファ３０４を介して液晶１０１に印加される。画素ｎスタートパルス入力の立ち下がると同時に（破線γ）、図１３に示すレジスタ３２３で次の画素ｎ＋１のスタートパルス入力（＝画素ｎスタートパルス出力）も生成される。画素ｎ＋１においても同様の駆動が行われる。具体的には、クロック信号が立ち上がると（破線δ）、画素ｎ＋１の放電信号が消失し、画素ｎ＋１の充電信号が生成される。そして、所定の時間経過しクロック信号が立ち下ると（破線ε）、充電スイッチ３０５がＯＦＦ状態となる。図１４では、画素ｎ＋１は画素ｎに比べて長い充電期間を有している。そのため、図１４に示す画素ｎ＋１の充電電圧は、画素ｎの充電電圧より高くなっている。
【００６０】
画素ｎ＋２以降も、同様の駆動を順次繰り返すことで、全ての画素に任意電圧を印加することができる。なお、図１２では、コンデンサ３０７に充電された電圧を、バッファ３０４を介して液晶１０１に印加する例を示したが、充電期間を十分長くすることができる場合はバッファ３０４及びコンデンサ３０７を省略して、直接液晶１０１に光発電素子２０１の発電電圧を印加することも可能である。また、図１４では、クロック周期を一定として、ハイレベル期間とローレベル期間との比率（デューティ比）で印加電圧を変化させているが、クロック周期を一定に限定する必要はない。
【００６１】
以上のように、本実施の形態に係る液晶表示装置では、データ信号に複数の信号を重畳させる等の多階調化の手法を適用することで、既存の液晶表示装置と同等の多階調化を実現することができる。なお、本発明は、本実施の形態で示した多階調化の手法に限られず、ディザ手法やパルス幅変調手法などの他の多階調化の手法を適用しても良い。
【００６２】
（実施の形態４）
液晶表示装置は、液晶１０１に直流電圧を印加し続けると、画素の焼き付きと呼ばれる現象が生じる。そのため、一般の液晶表示装置では、フレーム毎などの一定周期で液晶１０１に印加する電圧の極性を反転させる交流反転駆動を行っている。本発明に係る液晶表示装置においても、一般の液晶表示装置と同様の駆動を行うことが可能である。
【００６３】
図１５に、本実施の形態に係る光発電素子２０１及び駆動回路３０１の一例の構成図を示す。図１５に示す光発電素子２０１は、液晶１０１に印加する最大電圧の２倍以上の電圧を得ることができるように直列接続されている。図３に示す光発電素子２０１は３つのセルが直列接続されているが、図１５に示す光発電素子２０１は６つのセルが直列接続されている。
【００６４】
図１５では、直列接続した光発電素子２０１の中央のセル（上から３つ目のセル）と液晶１０１の一方の電極が接続されている。その一方の電極の電位をゼロとし、他方の電極をマルチプレクサ３０２により正負任意の電位を選択することができるように構成されている。図１５に示す構成により、液晶１０１に印加する電圧の極性を任意に変化させることができるため、液晶１０１を交流反転駆動することができる。なお、電圧の極性を変化させる制御は、階調を制御する信号と同じように復調することで可能となる。
【００６５】
次に、印加電圧の極性を変化させる別の構成を図１６に示す。図１６では、光発電素子２０１を直列接続し、それぞれの光発電素子２０１の端子と、液晶１０１の一方又は他方の電極のいずれもが接続できるように、両方の電極にマルチプレクサ３０２を採用した構成である。液晶１０１の両電極にマルチプレクサ３０２を採用することで、それぞれ任意の電位を選択することができる。そのため、各々の選択電位の大小関係により液晶１０１に印加される電圧の極性を変化させることができる。なお、電圧の極性を変化させる制御は、階調の制御信号と組み合わせて実現することも可能である。なお、図１６のように構成することで、図１５の場合に比べ光発電素子２０１の数・面積を減らすことができる。
【００６６】
さらに、印加電圧の極性を変化させる別の構成を図１７に示す。図１７では、光発電素子２０１及びマルチプレクサ３０２の数を減らした構成例である。図１７では、液晶１０１の電極が極性選択用スイッチ３０３を介して光発電素子２０１と接続された構成である。極性選択用スイッチ３０３は、極性選択信号によりＯＮ・ＯＦＦし、液晶１０１に印加する電圧の極性を変化させている。なお、階調選択は、直列接続した複数の光発電素子２０１をマルチプレクサ３０２で選択する構成である。また、極性選択信号は、階調の制御信号と組み合わせて実現することも可能である。
【００６７】
以上のように、本実施の形態に係る液晶表示装置は、液晶１０１に印加する電圧の極性を所定の周期で反転させるので、画素の焼き付き現象を防止することができる。
【００６８】
（実施の形態５）
上述した実施の形態では、制御用光源（ＬＥＤ４０１）の波長は、バックライトの主光源１５２の波長と異なるものを選択すると説明してきた。しかし、本発明に係る液晶表示装置は、これに限られず主光源１５２そのものを制御用光源として使用することも可能である。そこで、本実施の形態に係る液晶表示装置では、主光源１５２を制御用光源として使用する構成について説明する。
【００６９】
本実施の形態に係る液晶表示装置では、可視光範囲の主光源１５２を制御用光源として用いるので、制御信号がいかなるパターン（例えば、全画面白と全画面黒）であっても、光源の光強度が一定であることが望ましい。つまり、一つの制御用光源における点灯時の発光強度をＩ、点灯・非点灯期間の比率の平均値（デューティ比）をＤとした場合に、Ｉ×Ｄが一定となれば、人の目が感知する光強度（白表示の際）も一定となる。なお、制御用光源を主光源１５２とは別に設ける場合であっても、可視光範囲の制御用光源を用いる場合は同様に光源の光強度が一定であることが望ましい。
【００７０】
そのため、クロック信号のような、常に一定の周期でＯＮ・ＯＦＦを繰り返す制御信号の場合は、平均の発光強度Ｉは一定となる。しかし、データ信号については、Ｉ×Ｄが一定となるように、デューティ比Ｄに応じて発光強度Ｉを変更するか、発光強度Ｉもデューティ比Ｄも一定にすることが必要と考えられる。
【００７１】
デューティ比Ｄに応じて発光強度Ｉを変更するの場合、複数の画像データを一旦メモリに保持し、その画像データから、制御用光源がＯＮ状態で且つ”１”となる画像データの一定期間内の合計を合計値Ｓとして算出する。その合計値Ｓからデューティ比Ｄを算出する。デューティ比Ｄは、合計値Ｓを合計値Ｓが取りうる最大値で除して求めることができる。具体的に、１２Ｂｉｔが一定期間内の画像データとする場合に、制御用光源がＯＮ状態で且つ”１”となる画像データが９Ｂｉｔであれば、合計値Ｓは９となり、合計値Ｓが取りうる最大値が１２であるので、デューティ比Ｄは９／１２＝０．２５となる。
【００７２】
その後、発光強度Ｉを設定し、メモリに保持した画像データを転送する。なお、発光強度Ｉは、デューティ比Ｄの逆数（１／Ｄ）に比例して設定されるが、合計値Ｓがゼロであれば発散し設定することができない。
【００７３】
これを回避するためには、データ転送がデータ転送期間ｔａとデータ転送休止期間ｔｂとを有する場合において、データ転送休止期間ｔｂに制御用光源を常時点灯すれば良い。このようにすることで、デューティ比Ｄがゼロとならず、発光強度Ｉの設定が可能となる。なお、発光強度Ｉの最大値には限界があるため、データ転送期間ｔａとデータ転送休止期間ｔｂとの比率を適宜調整する必要がある。また、データ転送期間ｔａとデータ転送休止期間ｔｂとが繰り返される周期は、一般に１フレーム周期や、１走査線周期であるが、これに限られず、数画素周期であっても良い。但し、１フレーム周期よりも長くなると、制御号光源のデューティ比Ｄの変化が、目に感知される周波数より遅くなるため、ちらつきを感じるようになる。
【００７４】
一方、発光強度Ｉもデューティ比Ｄも一定にする場合は、メモリヘの画像データの保持や発光強度Ｉを変更する必要がないため、制御を簡略化することができる。いかなるデータ信号であっても、デューティ比Ｄを一定とするには、クロック信号と同じ周期でデータ信号をトグルすれば良い。具体的な方法を、図１８の波形に基づいて説明する。まず、図１８の波形は、クロック信号、元のデータ信号及び発光強度Ｉもデューティ比Ｄも一定になるように変換したデータ信号を示している。変換したデータ信号は、１データサイクル（クロック周期と同じ周期）の期間にデータ信号の０Ｎ期間とＯＦＦ期間とが必ず半分ずつ持ち、データ信号の変化点がクロック信号の変化点に対して１／４周期ずれている。
【００７５】
図１８からも分かるように、変換したデータ信号がラッチされる（図１８の場合、クロックの立ち上がり（破線部））点で、元のデータ信号と同じレベルが与えられるようになっている。元のデータ信号から変換したデータ信号を作るには、クロック信号の立ち下りから１／４周期遅れたところで元のデータ信号のＯＮ・ＯＦＦ状態に合わせ、さらに１／２周期（クロック信号の立ち下りから３／４周期）遅れたところで、前に合わせた元のデータ信号の状態と反対の状態にすれば良い。
【００７６】
なお、クロック信号の立ち下りからの周期の遅れは必ずしも１／４周期にする必要はない。但し、周期の遅れが長くなると、画素の駆動回路のセットアップ期間が短くなり、逆に周期の遅れが短くなると、液晶１０１に印加する電圧のホールド期間が短くなる弊害がある。従って、画素の駆動回路の動作可能周波数に対して、クロック信号の周波数が十分遅ければ、ある程度の幅で調整することができる。
【００７７】
以上のように、本実施の形態に係る液晶表示装置では、制御用光源に可視光範囲を使用する場合や、主光源１５２を制御用光源としても用いる場合、制御用光源の点灯・非点灯期間の比率に点灯期間の光強度を乗じた値が一定となるように制御するので、人の目に感じる光強度が一定となり、ちらつきを感じない液晶表示装置を構成することができる。また、通常の液晶表示装置でも、バックライトの主光源１５２としてＲＧＢなどの色を持つＬＥＤが使用されることもあるので、主光源１５２を制御用光源としても用いる場合は、光源の部品点数を減らすことができ、コストを削減できる。
【００７８】
（実施の形態６）
実施の形態５では、バックライトの主光源１５２を制御用光源としても使用する構成を説明した。特に、ＲＧＢなどの色を持つＬＥＤ等を光源として採用する場合、当該光源のスペクトル幅は狭く、各色を独立して制御することができる。そのため、光源の各色をそれぞれ異なる制御信号の制御用光源として採用することができる。
【００７９】
上述のような場合、カラー表示用に一般に使用されているカラーフィルタの一部を、駆動回路３０１に設けた光センサ３１１，３１２のフィルタ３１３として利用することが可能となる。図１９に、カラーフィルタをフィルタ３１３として利用する液晶表示装置の断面図を示す。図１９では、ガラスの透明基板１０３上にカラーフィルタ１１０が形成され、当該カラーフィルタ１１０の間に駆動回路３０１が形成されている。なお、図１９では、画素を構成する透明電極１０２等は省略している。
【００８０】
駆動回路３０１に設けられた光センサ３１１，３１２は、透明基板１０３及びカラーフィルタ１１０を通過して光（電磁波）を受光する。カラーフィルタ１１０は、上述したように、特定の波長の光（電磁波）選択するフィルタ３１３として機能している。そのため、光センサ３１１，３１２は、例えば、ＲＧＢのＬＥＤ４０１を光源として使用し、ＲＧＢのカラーフィルタ１１０を用いた場合、ＲＧＢの光を選択的に受光することができる。
【００８１】
但し、これまでの実施の形態で主として説明した構成では、データを捕捉するために、最低でもクロック信号とデータ信号の２種類の光源が必要であった。そのため、一つの画素に設けられる駆動回路３０１には少なくとも２種類の光センサ３１１，３１２を設ける必要があった。しかし、カラーフィルタ１１０を光センサ３１１，３１２のフィルタ３１３として使用する場合は、１つの画素には１種類のカラーフィルタ１１０しか設けることができず、１つの画素に２種類の光センサ３１１，３１２を設けるのは困難であった。
【００８２】
また、単一光を復調してデータ化することも、通常の電気回路であれば容易であるが、液晶表示装置のように限られた各画素内に、そのような回路で実現するには現実的に困難である。
【００８３】
そこで、本実施の形態に係る液晶表示装置では、光センサ３１１，３１２を図２０や図２１のように配置することで、上述の問題を解決している。図２０では、隣り合う２つの画素の境に光センサ３１１，３１２を設けて、隣り合う２種類のカラーフィルタ１１０を共用している。さらに、図２１では、隣接する４つの画素の境に光センサ３１１，３１２を設けて、隣接する４種類のカラーフィルタ１１０を共用している。
【００８４】
なお、光センサ３１１，３１２自身は、複数の画素で共用しなくても実現可能であるが、その場合、隣接画素に設けられた光センサ３１１，３１２の出力を、配線を用いて伝達する必要がある。そのため、光センサ３１１，３１２自身を複数の画素で共用しない場合は、構成の複雑化と、配線容量などの影響で信号遅延が生じ動作可能周波数が下がることが考えられる。
【００８５】
以上のように、本実施の形態に係る液晶表示装置では、カラーフィルタ１１０の一部を光センサ３１１，３１２のフィルタ３１３として使用するので、別途フィルタ３１３を設ける必要がなくコストを低減することができる。
【図面の簡単な説明】
【００８６】
【図１】本発明の実施の形態１に係る液晶表示装置の断面図である。
【図２】本発明の実施の形態１に係る液晶表示装置の回路図である。
【図３】本発明の実施の形態１に係る駆動回路の一部を示す回路図である。
【図４】本発明の実施の形態１に係るフィルタの透過率特性を示す図である。
【図５】本発明の実施の形態１に係る駆動回路の波形を示す図である。
【図６】本発明の実施の形態１に係るスタートパルス信号の伝達を説明する図である。
【図７】本発明の実施の形態１に係る液晶表示装置の配線を説明する図である。
【図８】本発明の実施の形態１に係る液晶表示装置をタイリングした大型液晶表示装置の平面図である。
【図９】本発明の実施の形態３に係る駆動回路の波形を示す図である。
【図１０】本発明の実施の形態３に係る液晶表示装置の回路図である。
【図１１】本発明の実施の形態３に係る液晶表示装置の回路図である。
【図１２】本発明の実施の形態３に係る液晶表示装置の回路図である。
【図１３】本発明の実施の形態３に係る駆動回路の一部を示す回路図である。
【図１４】本発明の実施の形態３に係る駆動回路の波形を示す図である。
【図１５】本発明の実施の形態４に係る液晶表示装置の回路図である。
【図１６】本発明の実施の形態４に係る液晶表示装置の回路図である。
【図１７】本発明の実施の形態４に係る液晶表示装置の回路図である。
【図１８】本発明の実施の形態５に係る駆動回路の波形を示す図である。
【図１９】本発明の実施の形態６に係る液晶表示装置の断面図である。
【図２０】本発明の実施の形態６に係る液晶表示装置の平面図である。
【図２１】本発明の実施の形態６に係る液晶表示装置の平面図である。
【符号の説明】
【００８７】
１０１  液晶、１０２  透明電極、１０３  透明基板、１０４  シール材、１１０  カラーフィルタ、１５１  導光板、１５２  主光源、２０１  光発電素子、２１０  分圧回路、３０１  駆動回路、３０２  マルチプレクサ、３０３  スイッチ、３０４  バッファ、３０５  充電スイッチ、３０６  放電スイッチ、３０７  コンデンサ、３１１，３１２  光センサ、３１３  フィルタ、３１４，３２１，３２２  ＡＮＤゲート、３１５，３１６，３２３  レジスタ、３２０  インバータ、４０１  ＬＥＤ、７０１  画素、７０２  伝送方向の矢印、７０３  スタートパルス配線、８０１  液晶表示装置。
【図１】
2006284977.tif 000003
【図２】
2006284977.tif 000004
【図３】
2006284977.tif 000005
【図４】
2006284977.tif 000006
【図５】
2006284977.tif 000007
【図６】
2006284977.tif 000008
【図７】
2006284977.tif 000009
【図８】
2006284977.tif 000010
【図９】
2006284977.tif 000011
【図１０】
2006284977.tif 000012
【図１１】
2006284977.tif 000013
【図１２】
2006284977.tif 000014
【図１３】
2006284977.tif 000015
【図１４】
2006284977.tif 000016
【図１５】
2006284977.tif 000017
【図１６】
2006284977.tif 000018
【図１７】
2006284977.tif 000019
【図１８】
2006284977.tif 000020
【図１９】
2006284977.tif 000021
【図２０】
2006284977.tif 000022
【図２１】
2006284977.tif 000023